(57)【特許請求の範囲】
【請求項１】
少なくとも１つの押箔（４１０、４１１、４１２）を、箔押機（１）の箔駆動システム（４４０）に導入するための挿入方法であって、前記箔駆動システム（４４０）は、前記押箔（４１０、４１１、４１２）の各々を定められた供給経路において進行させる役割を有し、前記方法は、
所定の長さにわたって前記押箔（４１０、４１１、４１２）の各々の端部を巻き戻すステップと、
前記押箔（４１０、４１１、４１２）の各々の端部をそれ自体の上に折り返して、開ループ（４１４）の自由ストランド（４１３）を構成するステップと、
前記ループ（４１４）の内側から前記対応する押箔（４１０、４１１、４１２）を引っ張ることにより、前記自由ストランド（４１３）の各々を前記供給経路に沿って展開するステップと、
前記自由ストランド（４１３）の各々を、これが前記供給経路に沿って展開するときに部分的に拘束するステップと、
を含むことを特徴とする挿入方法。
【請求項２】
前記自由ストランド（４１３）の各々は、前記自由ストランド（４１３）が導入の開始時に展開する方向とは実質的に反対方向に向けられる吸引力を、前記自由ストランドの各々に印加することにより、拘束されることを特徴とする、請求項１に記載の挿入方法。
【請求項３】
少なくとも１つの押箔（４１０、４１１、４１２）を、箔押機（１）の箔駆動システム（４４０）に導入するための挿入装置（１０）であって、前記箔駆動システム（４４０）は、前記押箔（４１０、４１１、４１２）の各々を定められた供給経路において進行させる役割を有し、前記装置は、一方では、前記押泊（４１０、４１１、４１２）の端部がそれ自体の上に折り返されて開ループ（４１４）の自由ストランド（４１３）を構成する、挿入位置として知られる位置に、前記押泊（４１０、４１１、４１２）の各々を保持することができる手段（２０）と、他方では、前記ループ（４１４）の内側から前記対応する押泊（４１０、４１１、４１２）を引っ張ることにより、前記自由ストランド（４１３）の各々を前記供給経路に沿って展開することができる手段（３０）とを含み、前記保持手段（２０）は、前記展開手段（３０）が実装されたときに前記自由ストランド（４１３）の各々を部分的に拘束することもできることを特徴とする挿入装置（１０）。
【請求項４】
前記保持手段（２０）は、前記押泊（４１０、４１１、４１２）の各々が前記箔駆動システム（４４０）に導入される直前に到達する平面とは異なるが実質的に平行な平面において、前記箔駆動システム（４４０）の上流に配置されることを特徴とする、請求項３に記載の挿入装置（１０）。
【請求項５】
前記保持手段（２０）は、前記自由ストランド（４１３）が導入の開始時に展開する方向とは実質的に反対方向において、前記押泊（４１０、４１１、４１２）の各々の前記自由ストランド（４１３）に吸引力を印加することができる吸引部材（２１）を含むことを特徴とする、請求項３または請求項４に記載の挿入装置（１０）。
【請求項６】
前記吸引部材（２１）は、前記自由ストランド（４１３）の各々が導入の開始時に展開し始める方向とは実質的に反対の方向において、ベンチュリ効果を用いて吸引された空気流を生成することができることを特徴とする、請求項５に記載の挿入装置（１０）。
【請求項７】
前記押泊（４１０、４１１、４１２）の各々が、送り長さとして知られる所定の長さの供給経路に沿って展開することが意図される場合、前記吸引部材（２１）は、前記送り長さの２倍に実質的に等しい前記自由ストランド（４１３）の長さを最初に吸引できることを特徴とする、請求項５または請求項６に記載の挿入装置（１０）。
【請求項８】
前記吸引部材（２１）は、吸引ダクト（２３）が形成される吸引ヘッド（２２）と、前記吸引ヘッド（２２）の後ろに固定され前記吸引ダクト（２３）と連通し、かつ、他方の端部が開放した吸引プレナム（２４）と、前記吸引ダクト（２３）の内端の近くに位置する領域から、前記吸引ダクト（２３）に対して実質的に平行な方向に、そして同時に前記吸引プレナム（２４）の前記開放端に向かって、加圧空気を前記プレナム（２４）内に注入することができる送風手段（２５）とを含むことを特徴とする、請求項５〜請求項７のいずれかに記載の挿入装置（１０）。
【請求項９】
前記吸引ダクト（２３）は、前記押泊（４１０、４１１、４１２）の各々が前記箔駆動システム（４４０）に導入される前記平面に対して実質的に平行に延びる平坦な断面を有することを特徴とする、請求項８に記載の挿入装置（１０）。
【請求項１０】
前記吸引プレナム（２４）は、前記吸引ヘッド（２２）から前記プレナム（２４）の前記開放端に向かって広がる楔形状であることを特徴とする、請求項８または請求項９に記載の挿入装置（１０）。
【請求項１１】
前記送風手段（２５）は、前記吸引ダクト（２３）の両側上で互いに実質的に平行に注入される２つの実質的に層流の空気流を発生させることができることを特徴とする、請求項８〜請求項１０のいずれかに記載の挿入装置（１０）。
【請求項１２】
前記吸引部材（２１）は、前記吸引プレナム（２４）の後ろに且つ前記吸引プレナムと連続して配置されるとともに前記押泊（４１０、４１１、４１２）の各々の前記自由ストランド（４１３）を専用の一時貯蔵領域に向かって流すことができるデフレクタ（２６）をさらに含むことを特徴とする、請求項８〜請求項１１のいずれかに記載の挿入装置（１０）。
【請求項１３】
前記押泊（４１０、４１１、４１２）の各々が、前記吸引部材（２１）が配置される平面とは実質的に異なる挿入平面として知られる平面において前記箔駆動システム（４４０）への入口に到達する場合、前記挿入装置（１０）は、前記押泊（４１０、４１１、４１２）の各々の流れを、前記挿入平面から前記吸引部材（２１）が配置される平面に案内することができる少なくとも１つの分流部材（２７、２８）をさらに含むことを特徴とする、請求項５〜請求項１２のいずれかに記載の挿入装置（１０）。
【請求項１４】
前記展開手段（３０）は、一方では、その一部が前記供給経路と実質的に平行である運動軌道において横方向に並進移動するように取り付けられ、他方では、前記押泊（４１０、４１１、４１２）の各々の前記ループ（４１４）の内側に着座することができるプル・バー（３１）を含むことを特徴とする、請求項３〜請求項１３のいずれかに記載の挿入装置（１０）。
【請求項１５】
前記プル・バー（３１）の前記運動軌道は、その一部が前記押泊（４１０、４１１、４１２）の各々の前記供給経路に沿って延びる閉ループを描くことを特徴とする、請求項１４に記載の挿入装置（１０）。
【請求項１６】
前記プル・バー（３１）は、前記プル・バー（３１）の２つの端部にそれぞれ固定されるととともに前記箔押機（１）の両側上に横方向に配置された２つのチェーンの組（３２）を介して、横方向に並進運動するように取り付けられることを特徴とする、請求項１４または請求項１５に記載の挿入装置（１０）。
【請求項１７】
少なくとも１つの押箔（４１０、４１１、４１２）を、定められた供給経路において進行させる役割を有する箔駆動システム（４４０）を含む箔押機（１）であって、請求項３〜請求項１６のいずれかに記載の挿入装置（１０）をさらに含むことを特徴とする箔押機（１）。
【発明の詳細な説明】
【技術分野】
【０００１】
本発明は、１つ又はそれ以上の押箔を、これらを駆動する役割を担うシステムに導入することを可能にする方法に関する。
本発明は、この挿入方法を実施するための装置にも関する。
本発明は、箔押機の分野において特に有利な用途を見出す。
【背景技術】
【０００２】
箔押（ｓｔａｍｐｉｎｇ）、つまり、シート形態の媒体、すなわち、一般的に金属化箔として知られる１つ又はそれ以上の押箔から取られた着色フィルム又は金属化フィルムに圧力をかけることにより、テキスト及び／又はパターンを印刷することは、既知の慣行である。業界において、そのような転写操作は、通常、印刷支持体が一枚ずつ導入される垂直プラテンプレスを用いて行われ、一方、箔は、明確に定められた供給経路において箔を前進させる箔駆動システムを介して連続的に供給される。
【０００３】
従来より、そのような箔駆動システムは、箔の進行を案内するために供給経路全体に沿って取り付けられた一連のアイドリンク軸を、供給経路の下流部分に配置された多数の前進軸と組み合わせて、それぞれ、箔の各々の前方運動を駆動する。このことは、実際には、最初の配置のために、各々の箔を、プラテンプレスを通過させるのみならず、非常に多くの要素の周りに部分的に巻く必要があることを意味する。
【０００４】
ここで、事実上、かなりの数のアイドリング軸、特に、プラテンプレスに近接して配置されたものにアクセスするのが困難であることに留意しなければならない。プレスのプレート間の空間についても同じことが言える。いずれにしても、最終結果として、箔の手動による導入は、こうした駆動システムにおいて特に複雑な作業であることが分かっている。
【０００５】
こういうわけで、どちらも比較的アクセス可能であり、かつ、それぞれプラテンプレスの両側に１つずつ配置された始点から終点まで自動的に箔を送ることができる挿入装置が開発された。
【０００６】
箔の供給経路に対して実質的に平行な軌道において、横断方向に並進運動するように取り付けられたバーを用いる挿入装置が特によく知られている。具体的には、上述の始点の領域において、各々の箔は、粘着テープによりロッドに一時的に固定される。次に、ロッドは、その運動軌道に沿って機械的な並進運動を受け、これにより種々の箔が引っ張られ、従って、供給経路に沿って配置される。ひとたび終点に到達すると、粘着テープを除去することによって、すべての箔がロッドから外される。
【発明の概要】
【発明が解決しようとする課題】
【０００７】
しかしながら、このタイプの挿入装置は、事実上、ロッドの始点及び終点へのアクセスが容易であることが稀であるため、十分に人間工学的でないという不利な点を有する。実際には、通常、始点はプラテンプレスの下部、すなわち、特に乱雑な領域内に配置される。終点自体は、高い部分、すなわち、到達するためにプラテンプレスの上部に登る必要がある場合が多い、本質的にアクセスが困難である領域内に配置される。最終的に、ロッドとの間の箔の取り外しは、それを各箔について別個に行わなければならず、かつ、毎度粘着テープを扱う必要があるため、厄介な作業である。
【課題を解決するための手段】
【０００８】
従って、本発明の主題が解決しようとする技術的課題は、少なくとも１つの押箔を、各箔を定められた供給経路内で進行させる役割を担う、箔押機の箔駆動システムに導入するための挿入方法を提案することであり、この挿入方法は、特に、大きく改善された実施の容易さを提供することにより、従来技術の問題を回避することを可能にする。
【０００９】
前述の技術的課題に対する解決法は、本発明によれば、
所定の長さにわたって箔の各々の端部を巻き戻すステップと、
箔の各々の端部をそれ自体の上に折り返して、開ループの自由ストランドを構成するステップと、
ループの内側から対応する箔を引っ張ることにより、各々の自由ストランドを供給経路に沿って展開するステップと、
各々の自由ストランドを、これが供給経路に沿って展開されるときに部分的に拘束するステップと、
を含む挿入方法から成る。
【００１０】
各々の自由ストランドが部分的に拘束されるという事実は、自由ストランドは決して完全に動かなくはされないか、又はしっかりとは保持されないことを意味することを強調することが重要である。しかしながら、これが意味するものは、各々の自由ストランドが、張力を受けた状態に保持されると同時に、ある程度自由な動きを行い、徐々に展開するに従って、進行方向に滑ることができることである。ここでの目的は、各々の自由ストランドのいかなる過剰な運動、すなわち、関連するループが引っ張られる速度より速いいずれの運動も防止することであり、この目的は、対応する箔の供給経路に沿った完璧な位置決めを保証することである。
【００１１】
本文全体にわたって、箔駆動システムの考え方は、駆動システム全体、及びそうしたシステムの単純な部分の両方を示すことも理解すべきである。
【００１２】
この挿入方法の１つの特定の特徴によれば、各々の自由ストランドは、該自由ストランドが導入の開始時に展開する方向とは実質的に反対方向に向けられる吸引力を各自由ストランドに印加することにより、拘束される。
【００１３】
実際には、吸引は、各々の自由ストランドが展開するとき、それを部分的に拘束するのに十分であると同時に、その自由ストランドを引き戻すには十分でない強さで拘束力を発生するように調整される。
【００１４】
いずれにしても、本発明は、上述の挿入方法を実施するための装置、すなわち、少なくとも１つの押箔を、各々の箔を定められた供給経路において進行させる役割を有する箔押機の箔駆動システムに導入するための挿入装置にも関する。
【００１５】
本挿入装置は、一方では、各々の箔を、該箔の端部がそれ自体の上に折り返されて開ループの自由ストランドを構成する挿入位置として知られる位置に保持することができる手段と、他方では、ループの内側から対応する箔を引っ張ることにより、各々の自由ストランドを供給経路に沿って展開することができる手段とを含み、保持手段は、展開手段が実装されたときに各々の自由ストランドを部分的に拘束することもできることを含むという点で注目に値する。
【００１６】
従来技術において行われたものとは対照的に、本発明の展開手段の実装は、箔が貯蔵されるリールからの繰り出しと同時に起こる箔の運動をもたらすことはないが、前に巻き戻された自由ストランドの漸進的な展開をもたらし、そこでは、必ずしも、いかなる付加的な箔の巻き戻しも必要ない。同様に、本発明において、箔はその端部すなわち箔の固定接触領域で引っ張られず、ループの内側から、すなわち摺動接触領域が引っ張られる。このことは、本発明の場合、各々の箔と用いられる展開手段との間に強固な接続を確立する必要がなく、保持手段の拘束作用と組み合わされた摺動接続が、箔と展開手段を一時的に結合させるのに十分なものであることを意味する。
【００１７】
このように定義された本発明は、箔と展開手段との間にどのような強固な接続も必要としないという利点を有する。このことは、特に厄介であり、かつ、機械の全幅にわたって行うことができるようにするためには比較的高いレベルのアクセス性を必要とする取り付け及び取り外し作業をなくすことができることを意味する。いずれにしても、この点で、箔をその駆動システムに導入する段階が、最終的に著しく単純化される。
【００１８】
本発明は、以下の説明の過程において明らかになり、分離して又はいずれかの技術的に実行可能な組み合わせで考慮されるべき特徴にも関する。
【００１９】
本説明は、限定されない例として説明され、本発明の本質及びそれを具体化できる方法について、より良好な理解を与えることを意図する。また、本説明は、以下の添付図面を参照して説明される。
【図面の簡単な説明】
【００２０】
【図１】本発明による箔挿入装置が組み込まれた箔押機を示す。
【図２】押箔を箔駆動システムに導入する用意ができた状態の箔挿入装置を示す。
【図３】図２と類似しているが、そのプロセスにおいて箔が箔駆動システムに導入されている図である。
【図４】図２及び図３と非常に類似しているが、箔が箔駆動システムへの導入の終わりにある図である。
【図５】箔挿入装置に装備される保持手段の詳細を示す。
【発明を実施するための形態】
【００２１】
明確にするために、同じ要素は、同一の参照符号により示されている。同様に、本発明の理解のために不可欠な要素だけが示されるが、概略的に過ぎず、縮尺通りではない。
【００２２】
図１は、高級品産業のためのボール紙の包装をカスタマイズすることを意図した箔押機１を示す。一般的にめっき装置として知られるこの箔押機１は、通常、一連のシート形態の支持体を処理することができるユニット組立体を形成するために、互いに並列に置かれるが独立した多数のワークステーションで構成される。従って、フィーダ１００と、供給テーブル２００と、プラテンプレス３００と、箔供給及び回収ステーション４００と、送出ステーション５００とがある。各シートを個別に供給テーブル２００の出口から、プラテンプレス３００などを通って、送出ステーション５００に移動させるために、搬送装置６００も設けられる。
【００２３】
箔押機１の種々の部品１００、２００、３００、４００、５００、６００は、従来技術から非常に良く知られており、従って、ここでは、その構造についても又は動作についても、詳細には説明しない。
【００２４】
単に一例として選択されるこの特定の実施形態において、複数のボール紙のシートが積層されるパレットを介してフィーダ１００が供給されることが単に定められる。これらのシートは、すぐ隣接する供給テーブル２００の所までシートを移送する吸引型把持部材によって、スタックの上部から連続的に取り去られる。
【００２５】
供給テーブル２００において、シートは、吸引型把持部材によって層状にレイアウトされ、これは、シートが次々に部分的に重なるように置かれることを意味する。次いで、層全体は、ベルト・タイプ・コンベア機構により、プレート２１０に沿って、プラテンプレス３００に向かって駆動される。層の末尾では、前部レイ及び側部レイを用いて、先頭シートが系統的に正確に位置決めされる。
【００２６】
従って、供給テーブル２００のすぐ後に位置するワークステーションは、プラテンプレス３００である。プラテンプレスは、箔押により、この例示的な実施形態においては３つの押箔４１０、４１１、４１２からの金属化フィルムを各シートに適用する機能を有する。適切な箔押作業は、固定された加熱された上方プラテン３１０と、往復垂直運動で動く能力を有するように取り付けられた下方プラテン３２０との間で行われる。
【００２７】
プラテンプレス３００の下流には、箔供給及び回収ステーション４００がある。その名前が示すように、このステーションは、機械に押箔４１０、４１１、４１２を供給すること、及び、ひとたび使用されると、これらの押箔を除去することの両方の役割を有するため、二重の役割を果たす。
【００２８】
この特定の実施形態においては、具体的には、貯蔵、巻き戻し、供給及び回収について互いに独立して管理される３つの箔４１０、４１１、４１２がある。従って、各箔４１０、４１１、４１２は、回転できるように取り付けられ、ここでは単にリール４２０により示された、それ自体の供給リールに巻かれた形で貯蔵される。同様に、プラテンプレス３００を通過すると、各箔４１０、４１１、４１２は、回転できるように取り付けられ、ここでも、単純にリール４３０の形で具体化された、それ自体の巻き取りリールの周りに巻かれる。
【００２９】
貯蔵点と巻き取り点との間で、各箔４１０、４１１、４１２は、所定の距離にわたり、特にプラテンプレス３００を通過する定められた供給経路に沿って箔を進行させることが可能な駆動システム４４０によって駆動される。この箔駆動システム４４０は、主として、一方では、箔４１０、４１１、４１２の運動を案内するための供給経路に沿って取り付けられた一連のアイドリング軸４４１と、他方では、それぞれ、箔４１０、４１１、４１２の各々を駆動させるための供給経路の下流部分内に配置された３つの前進軸４４２、４４３、４４４とで構成される。
【００３０】
箔押機１においてシートを処理するプロセスは、既に処理されたシートを再びスタックの状態に形成することが主要な機能である送出ステーション５００で終了する。これを行うために、搬送装置６００は、シートがこの新しいスタックと整列したときに、各シートを自動的に解放するように構成される。シートは次いで、スタックの上部に正確に降下する。
【００３１】
高度に従来的な方法において、搬送装置６００は、箔押機１の両側に沿って側方に配置された２つの把持バー・チェーン６２０を介して横方向に並進運動できるように取り付けられた一連の把持バー６１０を用いる。各々の把持バー・チェーン６２０はループを移動し、これにより把持バー６１０が、プラテンプレス３００、供給及び排出ステーション４００、及び送出ステーション５００を連続して通過する軌道を辿ることが可能になる。
【００３２】
図２乃至図４に見ることができるように、箔押機１は、各押箔４１０、４１１、４１２を箔駆動システム４４０に導入し、特に、プラテンプレス３００を通過させることを可能にする挿入装置１０をさらに有する。ここで、これらの図面においては、明確にするため、押箔４１０のみが挿入装置の動作の原理を示すために示されることに留意すべきである。
【００３３】
本発明の主題によれば、挿入装置１０には、まず、各箔４１０、４１１、４１２を、箔４１０、４１１、４１２の端部がそれ自体の上に折り返されて、開ループ４１４の自由ストランド４１３を構成する（図２）、挿入位置として知られる位置に保持することができる保持手段２０が設けられる。しかしながら、挿入装置１０には、ループ４１４の内側から対応する箔４１０を引っ張ることにより、各自由ストランド４１３を供給経路に沿って巻き戻すことができる展開手段３０も設けられる（図３）。最後に、組立体は、自由ストランド４１３が展開手段３０により巻き戻されたときに、保持手段２０が各ループ４１４の自由ストランド４１３を部分的に拘束することができるようにも構成される。
【００３４】
図２乃至図４に明らかに見ることができるように、保持手段２０は、各箔４１０、４１１、４１２が、箔駆動システム４４０に導入される直前に到達する平面とは異なるが実質的に平行な平面において、箔駆動システム４４０の上流に配置される。この特徴は、保持手段２０の有効性を、保持及び拘束機能において最適化しながら、同時に、全体的な小型化を促進することができる。
【００３５】
本発明の１つの特定の特徴によれば、保持手段２０は、自由ストランド４１３が導入の開始時に展開される方向とは実質的に反対方向において、吸引力を、各箔４１０、４１１、４１２の自由ストランド４１３に印加することができる吸引部材２１を含む。当然、本説明におけるこの段階では、各押箔４１０、４１１、４１２の自由ストランド４１３を保持し拘束するために、いずれかのタイプの吸引を想定することができる。
【００３６】
しかしながら、本発明の１つの現在好ましい実施形態によれば、吸引部材２１は、ここでは、各自由ストランド４１３が導入の開始時に展開される方向とは実質的に反対方向に、ベンチュリ効果を用いて、吸引した空気流を発生させることができる。
【００３７】
本発明の別の有利な特定の特徴によれば、各箔４１０、４１１、４１２が、送り長さ（ｆｅｅｄ  ｌｎｇｔｈ）として知られる所定の長さの供給経路に沿って展開されることが意図される場合、吸引部材２１は、最初に、送り長さの２倍と実質的に等しい自由ストランドの長さを吸引することができる。この特徴は、各自由ストランド４１３を、対応するループ４１４がプラテンプレス３００から再び現れるまで、張力を受けたままにできることを意味する。各箔４１０、４１１、４１２を設置できる精度は、このように著しく改善される。
【００３８】
図５からより明らかに見ることができるように、吸引部材２１には、まず、吸引した空気流を流す役割の吸引ダクト２３が形成された吸引ヘッド２２が設けられる。次に、吸引部材２１には、吸引ヘッド２２の後ろに固定され、吸引ダクト２３と連通し、かつ、他方の端部、すなわち吸引ヘッド２２の反対側の端部が開放した吸引プレナム２４が設けられている。しかしながら、この吸引プレナム２４は、側部が閉じられ、ベンチュリ効果による減圧の生成を促進することに留意されたい。吸引部材２１は、最後に、加圧空気をプレナム２４内に注入することができる送風手段２５を含む。全体は、注入（矢印ｆ１及びｆ２）が、吸引ダクト２３の内端の近くに位置する領域から、吸引ダクト２３に対して実質的に平行な方向に、そして同時に、吸引プレナム２４の開放端に向けられるように配置される。
【００３９】
特に有利な方法において、吸引ダクト２３は、各箔４１０、４１１、４１２が箔駆動システム４４０に導入される平面に対して実質的に平行に延びる平坦な断面を有する。この特徴は、種々の自由ストランド４１３が、同一の平面に同時に並列して保持され、最終的に、対応する箔４１０、４１１、４１２を箔駆動システム４４０内に一様に配置するのを促進できることを意味する。
【００４０】
図５に完全に見ることができる１つの有利な特定の特徴によれば、吸引プレナム２４は、吸引ヘッド２２からプレナム２４の開放端まで広がる楔形状である。この幾何学的特徴の利点は、これがプレナム２４の内の吸引を一様にすることである。
【００４１】
本発明の現在の好ましい実施形態によれば、吸引部材２１は、ここでは、送風手段２５が、吸引ダクト２３の両側上で互いに実質的に平行に注入される２つの実質的に層流の空気流を発生させることができるように配置される（図５）。各々の空気流が実質的に層流であるという事実は、空気流が、ある程度、エアカーテンの形態、すなわち、その断面の幅が高さよりはるかに大きい流れの形態を採用することを意味する。
【００４２】
いずれにしても、プレナム２４に注入される２つの空気流の同時に生じる流れが、ベンチュリ効果により吸引ダクト２３の後ろで減圧をもたらし、この減圧は、次いで、吸引ダクト２３を通して吸引された空気流を発生させる。実際には、送風手段２５は、単一の送風ポンプを用いて、その流れが分割されて２つの注入空気流を生成するか、又は、それぞれが各々の注入空気流の生成専用の２つの送風ポンプを用いることができる。
【００４３】
特に有利なことに、吸引部材２１は、吸引プレナム２４の後ろに、かつ、これと連続して配置され、各箔４１０、４１１、４１２の自由ストランド４１３を専用の一時貯蔵領域に向かって流すことができるデフレクタ２６をさらに含む。ここでは、一時貯蔵領域は、展開手段３０の実装が完了するまで、箔４１０、４１１、４１２の自由ストランド４１３を貯蔵するのに用いることができる箔押機１内の空間に対応することを理解すべきである。
【００４４】
図２乃至図４は、各箔４１０、４１１、４１２が、吸引部材２１が配置される平面とは実質的に異なる、挿入平面として知られる平面において箔駆動システム４４０への入口に到達することも明らかに示す。有利なことに、挿入装置１０は、各箔４１０、４１１、４１２の流れを、その挿入平面から吸引部材２１が配置される平面に案内することができる少なくとも１つの分流部材２７、２８をさらに含むのはこのためである。
【００４５】
この例示的な実施形態において、各々の分流部材２７、２８は、空気作動式分流部材、すなわち、加圧空気が移動する管の形態であり、その壁を通って複数のオリフィスが穿孔され、これらのオリフィスの目的は、加圧空気を逃がすことを可能にすることである。このようにして管と各箔４１０、４１１、４１２との間に生成された空気膜が摩擦力を制限し、従って、滑りを促進する。必然的に、分流部材２７、２８の数及び位置は、箔押機１の内部構成によって決まるが、一般に、分流部材２７、２８は、ほとんどの場合に、平坦な吸引ダクト２３が延びる平面に対して接線方向に、吸引部材２１の入口に存在する。
【００４６】
再び、本発明の現在の好ましい実施形態によれば、展開手段３０は、一方では、その一部が供給経路に対して実質的に平行である運動軌道において横方向に並進運動するように取り付けられ、他方では、各押箔４１０、４１１、４１２のループ４１４の内側に着座することができるプル・バー３１を含む。本説明におけるこの段階では、プル・バー３１の動力学は、閉ループ軌道における連続運動に対応し得るので、開ループ軌道における往復運動にも同様に対応できることを理解すべきである。
【００４７】
しかしながら、再び本発明の好ましい実施形態によれば、プル・バー３１の運動軌道は、その一部が各箔４１０、４１１、４１２の供給経路に沿って延びる閉ループを描く。
【００４８】
この例示的な実施形態において、プル・バー３１は、該プル・バー３１の２つの端部にそれぞれ固定され、箔押機１の両側上に横方向に配置された２つのチェーンの組３２を介して、横方向に並進運動するように取り付けられる。
【００４９】
当然、本発明は、より一般的には、少なくとも１つの押箔４１０、４１１、４１２を定められた供給経路において進行させることができる箔駆動システム４４０を含み、かつ、上述のような箔挿入装置１０をさらに含む任意の箔押機１に関する。
【符号の説明】
【００５０】
１：箔押機
１０：挿入装置
２０：保持手段
２１：吸引部材
２２：吸引ヘッド
２３：吸引ダクト
２４：吸引プレナム
２５：送風手段
２６：デフレクタ
２７、２８：分流部材
３０：展開手段
３１：プル・バー
３２：チェーンの組
２００：供給テーブル
２１０：プレート
３００：プラテンプレス
３１０：上方プラテン
３２０：下方プラテン
４００：箔供給及び回収ステーション
４１０、４１１、４１２：押箔
４１３：自由ストランド
４１４：開ループ
４２０、４３０：リール
４４０：箔駆動システム
４４１：アイドリング軸
４４２、４４３、４４４：前進軸
５００：送出ステーション
６００：搬送装置
６２０：把持バー・チェーン
【図１】
0005492348.tif 000002
【図２】
0005492348.tif 000003
【図３】
0005492348.tif 000004
【図４】
0005492348.tif 000005
【図５】
0005492348.tif 000006